(57)【要約】      （修正有）【課題】ポリタンクの灯油をポンプでファーンヒーター等のタンクに給油を終えた後、ポンプのノズルの先端から漏れる灯油を残すことなくポリタンクに返すことができるポリタンク用漏れ防止装置を提供する。【解決手段】上面に第一の開口部２と第二の開口部３とを形成し、第一の開口部２及び第二の開口部３の周縁を上方に突出させて環状の凸リブ４を形成し、前記凸リブ４の外壁に雄ネジ部５を形成したポリタンクにおいて、第一の開口部２と第二の開口部３のいずれか一方の開口部にポンプの吸上管７を挿入してポンプを使用し、ポンプの使用後、ポンプのノズルの先端部９を他方の開口部に装着したキャップの挿入口１１に挿入するポリタンク用漏れ防止装置であって、前記挿入口はポリタンクの内部と連通するよう挿入口の上端と下端とを連通させた。【選択図】図１
0003178180.tif 000002
【実用新案登録請求の範囲】
【請求項１】
上面に第一の開口部と第二の開口部とを形成し、前記第一の開口部及び第二の開口部の周縁を上方に突出させて環状の凸リブを形成し、前記凸リブの外壁に雄ネジ部を形成したポリタンクにおいて、前記第一の開口部と第二の開口部のいずれか一方の開口部にポンプの吸上管を挿入してポンプを使用し、ポンプの使用後、ポンプのノズルの先端部を他方の開口部に螺着したキャップの挿入口に挿入するポリタンク用漏れ防止装置であって、前記挿入口はポリタンクの内部と連通するよう挿入口の上端と下端とを連通させたことを特徴とするポリタンク用漏れ防止装置。
【請求項２】
前記キャップの挿入口は、キャップの挿入口を構成する第１の筒部と、前記第１の筒部から下方に延出され下端に行くに従がって径小となるテーパー部と、前記テーパー部から下方に延出された第２の筒部とで構成されており、ノズルが保持される請求項１記載のポリタンク用漏れ防止装置。
【考案の詳細な説明】
【技術分野】
【０００１】
本考案は、ポリタンク用漏れ防止装置に関するものである。
【背景技術】
【０００２】
従来、ポリタンクからポンプで例えばファーンヒーター、ストーブ等のタンクに給油した後に、タンクからポンプのノズルをタンクから抜くとノズルの先端から灯油が漏れる。この漏れた灯油が他のものに付着すれば引火性が高まり火災のおそれが生じるとともに、灯油の臭いが充満して不愉快な思いになるという問題点がある。
【先行技術文献】
【特許文献】
【０００３】
【特許文献１】特開２００９−２５５９７１号公報
【特許文献２】特開２００７−２５３９９９号公報
【特許文献３】実用新案登録第３０８６３１５号公報
【考案の概要】
【考案が解決しようとする課題】
【０００４】
本考案は、ポリタンクの灯油をポンプでファーンヒーター等のタンクに給油を終えた後、ポンプのノズルの先端から漏れる灯油を残すことなくポリタンクに返すことが可能となり、前述の問題点を解決しようとするものである。
【０００５】
特許文献１乃至３に記載されたポリタンク用漏れ防止装置は、ポンプを差し込んだ開口部からポンプのノズルの先端から漏れる灯油をポリタンクに返すようにしたものであり、ポンプが邪魔になってノズルの先端を装着位置に装着し難く、装着するのに手間取っている間にノズルの先端から灯油が漏れるという問題点があった。
【課題を解決するための手段】
【０００６】
本考案のポリタンク用漏れ防止装置は、上記問題点を鑑みてなされたものであり、上面に第一の開口部と第二の開口部とを形成し、前記第一の開口部及び第二の開口部の周縁を上方に突出させて環状の凸リブを形成し、前記凸リブの外壁に雄ネジ部を形成したポリタンクにおいて、前記第一の開口部と第二の開口部のいずれか一方の開口部にポンプの吸上管を挿入してポンプを使用し、ポンプの使用後、ポンプのノズルの先端部を他方の開口部に螺着したキャップの挿入口に挿入するポリタンク用漏れ防止装置であって、前記挿入口はポリタンクの内部と連通するよう挿入口の上端と下端とを連通させたことを特徴とする。
【考案の効果】
【０００７】
本考案は、上面に第一の開口部と第二の開口部とを形成し、前記第一の開口部及び第二の開口部の周縁を上方に突出させて環状の凸リブを形成し、前記凸リブの外壁に雄ネジ部を形成したポリタンクにおいて、前記第一の開口部と第二の開口部のいずれか一方の開口部にポンプの吸上管を挿入してポンプを使用し、ポンプの使用後、ポンプのノズルの先端部を他方の開口部に螺着したキャップの挿入口に挿入するポリタンク用漏れ防止装置であって、前記挿入口はポリタンクの内部と連通するよう挿入口の上端と下端とを連通させたことを特徴とするものであるから、ポンプの吸上管を挿入した開口部と異なる開口部に装着したキャップの挿入口にノズルの先端部をスムーズに短時間に挿入することができ、従来例に比し、ノズルの先端から灯油が漏れることが無いという効果がある。
【図面の簡単な説明】
【０００８】
【図１】図１は、本考案の第１実施例のポリタンク用漏れ防止装置をポリタンクに装着した正面図である。
【図２】図２は、同上の実施例のポリタンク用漏れ防止装置の一部を切欠した正面図である。
【図３】図３は、同上の実施例のポリタンク用漏れ防止装置の平面図である。
【図４】図４は、本考案の第２実施例のポリタンク用漏れ防止装置をポリタンクに装着した正面図である。
【図５】図５は、同上の実施例のポリタンク用漏れ防止装置の一部を切欠した正面図である。
【図６】図６は、同上の実施例のポリタンク用漏れ防止装置の平面図である。
【考案を実施するための形態】
【０００９】
以下、本考案の第１の実施形態について、図１乃至図３を参照して詳細に説明する。ポリタンク１は、上面に第一の開口部２と第二の開口部３とが形成され、第一の開口部２及び第二の開口部３の周縁を上方に突出させて環状の凸リブ４が形成され、凸リブ４の外壁に雄ネジ部５が形成されている。
【００１０】
ポリタンク用漏れ防止装置６は、ポリタンク１の第一の開口部２と第二の開口部３のいずれか一方の開口部にポンプＰの吸上管７を挿入してポンプＰを使用し、ポンプＰの使用後にポンプＰのノズル８の先端部９を他方の開口部に装着したキャップ１０の挿入口１１に挿入して漏れを防止するものであって、挿入口１１はポリタンク１の内部と連通するよう挿入口１１の上端と下端とを連通させている。キャップ１０の内面には雄ネジ部５に螺合する雌ネジ部１２が形成されている。
【００１１】
キャップ１０の挿入口１１は、キャップ１０の挿入口１１の上部を構成する第１の筒部１３と、挿入口１１の中間部を構成し、第１の筒部１３から下方に延出され下端に行くに従がって径小となるテーパー部１４と、挿入口１１の下部を構成し、テーパー部１４から下方に延出された第２の筒部１５とで構成されており、ノズル８が着脱自在に保持されるようになっている。第１の筒部１３をノズル８の先端に設けられたフック部１６で保持するようにしており、フック部１６で保持した場合は簡単にノズル８が外れないようになっている。テーパー部１４を設けることによりノズル８をスムーズに挿入することができるようにしている。
【００１２】
以上、本考案の第１の実施形態について、詳細に説明した。以下においては、本考案の第２の実施形態について、詳細に説明する。
なお、本考案の第２の実施形態においては、第１の実施形態について既述した構成と同様の構成について同一符号を付して詳しい説明を省略し、第１の実施形態とは相違する特徴的な構造について詳述するに留める。
【００１３】
図３乃至図６において、キャップ１０の挿入口１１は、キャップ１０の挿入口１１の上部を構成する下端に行くに従がって径小となるテーパー部２１と、挿入口１１の下部を構成し、テーパー部２１から下方に延出された筒部２２とで構成されており、ノズル８が着脱自在に保持されるようになっている。テーパー部２１を設けることによりノズル８をスムーズに挿入することができるようにしている。フック部の無いノズル８であってもノズル８を筒部２２のテーパー部２３によりノズル８がロックされ、ノズル８がポリタンク用漏れ防止装置６から外れて灯油が漏れることが無いようにしている。
【００１４】
キャップ１０の挿入口１１は、筒状のもので形成したが、キャップ１０の上面に開口されたものであっても構わないものである。
【符号の説明】
【００１５】
１  ポリタンク
２  第一の開口部
３  第二の開口部
４  凸リブ
５  雄ネジ部
６  ポリタンク用漏れ防止装置
７  吸上管
８  ノズル
９  先端部
１０  キャップ
１１  挿入口
Ｐ  ポンプ
【図１】
0003178180.tif 000003
【図２】
0003178180.tif 000004
【図３】
0003178180.tif 000005
【図４】
0003178180.tif 000006
【図５】
0003178180.tif 000007
【図６】
0003178180.tif 000008